(57)【要約】【課題】パケット網に接続される電話端末から適切な施設に対し、電話端末の処理負荷を抑えた上で緊急通報の発信を効率良く行い得る通信システムの主装置を提供する。【解決手段】主装置ＢＴＡにおいて、緊急通報先となるＩＰ電話端末Ｔ１３，Ｔ２２，Ｔ３３の緊急呼グループ番号とその位置情報とを対応付けた位置情報データベース、及びＩＰ電話端末Ｔ１１，Ｔ１２、Ｔ２１，Ｔ３１，Ｔ３２の内線番号とその位置情報インデックスとを対応付けた端末情報データベースを設け、ＩＰ電話端末Ｔ１１からの緊急通報の発信要求発生時に、端末情報データベースから発信元の位置情報インデックスを読み出し、この位置情報インデックスと位置情報データベース中の位置情報インデックスとを比較し、この比較結果からＡ地区に属するＩＰ電話端末Ｔ１３を選択して、このＩＰ電話端末Ｔ１３に対し緊急通報の発信を実行するようにしている。【選択図】      図１
2007274200.tif 000002
【特許請求の範囲】
【請求項１】
通信パケットを伝送するパケット通信ネットワークに接続され端末ＩＤが割り当てられた複数の電話端末間の通信接続を実行する通信システムの主装置において、
前記パケット通信ネットワーク上の複数の電話端末のうち緊急通報先となる第１の電話端末を特定する緊急呼ＩＤと、前記パケット通信ネットワークに対する前記第１の電話端末の接続位置を示す位置情報とを対応付けた第１の管理テーブルを記憶する第１の記憶手段と、
前記第１の電話端末とは異なる第２の電話端末の端末ＩＤと、前記パケット通信ネットワークに対する前記第２の電話端末の接続位置を示す位置情報とを対応付けた第２の管理テーブルを記憶する第２の記憶手段と、
前記第２の電話端末から前記パケット通信ネットワークを介して前記第２の電話端末の端末ＩＤを含む緊急発信要求が送られてきた場合に、前記第１及び第２の管理テーブルを参照し、この参照結果に基づいて前記第１の電話端末と前記第２の電話端末との間の通信接続を実行する制御手段とを具備したことを特徴とする通信システムの主装置。
【請求項２】
さらに、前記第２の電話端末の起動時に、前記第１の記憶手段から前記第１の管理テーブルを読み出し、当該第１の管理テーブルを含む位置情報の取得要求を前記第２の電話端末へ前記パケット通信ネットワークを介して送信する送信手段と、
前記位置情報の取得要求の送信に対し前記第２の電話端末から前記パケット通信ネットワークを介して前記第２の電話端末の位置情報が送られてきた場合に、前記第２の管理テーブル中の該当する第２の電話端末の位置情報を更新する更新手段とを備えたことを特徴とする請求項１記載の通信システムの主装置。
【請求項３】
前記第１の電話端末が前記パケット通信ネットワークとは異なる非パケット通信ネットワークに接続されるとき、前記緊急呼ＩＤと前記パケット通信ネットワーク及び前記非パケット通信ネットワークを特定するネットワークＩＤとを対応付けた第３の管理テーブルを記憶する第３の記憶手段をさらに備え、
前記制御手段は、前記第２の電話端末から前記緊急発信要求が送られてきた場合に、前記第１、第２及び第３の管理テーブルを参照し、この参照結果に基づいて前記第１の電話端末への接続ルートを特定し、この接続ルートにより前記第１の電話端末と前記第２の電話端末との間の通信接続を実行することを特徴とする請求項１記載の通信システムの主装置。
【請求項４】
前記非パケット通信ネットワークは、アナログ電話網、ＩＳＤＮ網の少なくとも１つであることを特徴とする請求項３記載の通信システムの主装置。
【請求項５】
通信パケットを伝送するパケット通信ネットワークに接続され端末ＩＤが割り当てられた複数の電話端末間の通信接続を実行する通信システムの主装置で使用される緊急通報発信方法において、
前記パケット通信ネットワーク上の複数の電話端末のうち緊急通報先となる第１の電話端末を特定する緊急呼ＩＤと、前記パケット通信ネットワークに対する前記第１の電話端末の接続位置を示す位置情報とを対応付けた第１の管理テーブルを第１のメモリに記憶し、
前記第１の電話端末とは異なる第２の電話端末の端末ＩＤと、前記パケット通信ネットワークに対する前記第２の電話端末の接続位置を示す位置情報とを対応付けた第２の管理テーブルを第２のメモリに記憶し、
前記第２の電話端末から前記パケット通信ネットワークを介して前記第２の電話端末の端末ＩＤを含む緊急発信要求が送られてきた場合に、前記第１及び第２の管理テーブルを参照して、前記第１の電話端末の位置情報と前記第２の電話端末の位置情報とを比較し、この比較結果に基づいて前記第１の電話端末と前記第２の電話端末との間の通信接続を実行するようにしたことを特徴とする緊急通報発信方法。
【発明の詳細な説明】
【技術分野】
【０００１】
この発明は、例えばＩＰ(Internet Protocol)電話システム等のように、ＩＰ網を介して電話端末間で音声通信を行なう通信システムの主装置及び緊急通報発信方法に関する。
【背景技術】
【０００２】
近年、パケット網を介して、双方向に画像や音声をパケットデータとして、リアルタイムに送受信するネットワーク電話システム（ＩＰ電話システム）が普及し始めている。このＩＰ電話システムでは、パケット網に接続されるＩＰ電話端末間で音声通信を行うことができるとともに、ＩＰ電話端末と公衆網に接続される電話端末との間で音声通信を行えることは勿論のこと、パケット通信網を介して国・地域を跨った音声通信を行うことができる。
【０００３】
ところが、上記ＩＰ電話システムでは、ＩＰ網上で発信元の位置を特定することが困難であるため、適切な施設への緊急通報ができない。
【０００４】
なお、従来では、移動ＩＰ電話端末の緊急発信時に、そのＬＡＮ上における接続位置情報をアクセスポイントとなる無線ＬＡＮ装置の位置情報テーブルから呼び出し、それをインターネット網に送信することで、適切なルートで移動ＩＰ電話端末と緊急連絡先とを接続する手法が考えられている（例えば、特許文献１）。
【特許文献１】特開２００５−２７２４７公報。
【発明の開示】
【発明が解決しようとする課題】
【０００５】
ところで、上記手法によると、一般的には距離的に最も近い無線ＬＡＮ装置が選択されることになる。従って、例えば移動ＩＰ電話端末が高速移動している場合には、接続先の無線ＬＡＮ装置を切り替える頻度が高くなり、これによりＬＡＮにおける移動ＩＰ電話端末の位置情報を特定し難くなるとともに、移動ＩＰ電話端末の処理負荷が極めて大きくなる。
【０００６】
そこで、この発明の目的は、パケット網に接続される電話端末から適切な施設に対し、電話端末の処理負荷を抑えた上で緊急通報の発信を効率良く行い得る通信システムの主装置及び緊急通報発信方法を提供することにある。
【課題を解決するための手段】
【０００７】
この発明は、上記目的を達成するために、以下のように構成される。  
通信パケットを伝送するパケット通信ネットワークに接続され端末ＩＤが割り当てられた複数の電話端末間の通信接続を実行する通信システムの主装置において、パケット通信ネットワーク上の複数の電話端末のうち緊急通報先となる第１の電話端末を特定する緊急呼ＩＤと、パケット通信ネットワークに対する第１の電話端末の接続位置を示す位置情報とを対応付けた第１の管理テーブルを記憶する第１の記憶手段と、第１の電話端末とは異なる第２の電話端末の端末ＩＤと、パケット通信ネットワークに対する第２の電話端末の接続位置を示す位置情報とを対応付けた第２の管理テーブルを記憶する第２の記憶手段と、第２の電話端末からパケット通信ネットワークを介して第２の電話端末の端末ＩＤを含む緊急発信要求が送られてきた場合に、第１及び第２の管理テーブルを参照し、この参照結果に基づいて第１の電話端末と第２の電話端末との間の通信接続を実行する制御手段とを備えるようにしたものである。
【０００８】
この構成によれば、緊急通報先となる第１の電話端末を特定する緊急呼ＩＤと、第１の電話端末の位置情報とを対応付けた第１の管理テーブル及び第２の電話端末の端末ＩＤと、第２の電話端末の位置情報とを対応付けた第２の管理テーブルを設けたことにより、第２の電話端末から緊急通報の発信要求が発生した場合に、その発信要求に含まれる発信元となる第２の電話端末の端末ＩＤに基づいて第２の管理テーブルから発信元の位置情報が読み出され、この位置情報と第１の管理テーブル中の緊急通報先となる第１の電話端末の位置情報とが比較され、この比較結果から最も近い位置にある第１の電話端末が選択されて、この第１の電話端末に対し緊急通報の発信が行われることになる。
【０００９】
従って、第１及び第２の管理テーブルに蓄積管理された第１及び第２の電話端末に関する情報を用いることで、簡単な手順でパケット通信ネットワーク上の第２の電話端末から適切な施設への緊急通報の発信を効率良く行なうことができる。
【００１０】
さらに、第２の電話端末の起動時に、第１の記憶手段から第１の管理テーブルを読み出し、当該第１の管理テーブルを含む位置情報の取得要求を第２の電話端末へパケット通信ネットワークを介して送信する送信手段と、位置情報の取得要求の送信に対し第２の電話端末からパケット通信ネットワークを介して第２の電話端末の位置情報が送られてきた場合に、第２の管理テーブル中の該当する第２の電話端末の位置情報を更新する更新手段とを備えたことを特徴とする。
【００１１】
この構成によれば、第２の電話端末がパケット通信ネットワークに接続されて起動した場合に、主装置から第２の電話端末へ第１の管理テーブルを含む位置情報の取得要求が伝送されて第２の電話端末の表示器に表示され、第２の電話端末のユーザがこの表示された全緊急通報先の位置情報をもとに、第２の電話端末の位置登録の指定入力操作を行なった場合に、第２の電話端末の位置情報が主装置に伝送され、第２の管理テーブル中の該当する第２の電話端末の位置情報が更新される。
【００１２】
従って、第２の電話端末がパケット通信ネットワークに接続されるごとに、その接続位置情報を取得して第２の管理テーブルを自動的に更新することができる。また、第２の電話端末のユーザは情報誌等を別途用意する必要がなく、しかも全緊急通報先の位置情報が表示されている状態で指定入力を行うことにより簡単かつ正確に第２の電話端末の位置情報を主装置に登録することができる。
【００１３】
第１の電話端末が前記パケット通信ネットワークとは異なる非パケット通信ネットワークに接続されるとき、緊急呼ＩＤとパケット通信ネットワーク及び非パケット通信ネットワークを特定するネットワークＩＤとを対応付けた第３の管理テーブルを記憶する第３の記憶手段をさらに備え、制御手段は、第２の電話端末から緊急発信要求が送られてきた場合に、第１、第２及び第３の管理テーブルを参照し、この参照結果に基づいて第１の電話端末への接続ルートを特定し、この接続ルートにより第１の電話端末と第２の電話端末との間の通信接続を実行することを特徴とする。
【００１４】
この構成によれば、緊急呼ＩＤとパケット通信ネットワーク及び非パケット通信ネットワークを特定するネットワークＩＤとを対応付けた第３の管理テーブルを用意したことにより、各第２の電話端末ごとに緊急通報先へ発信する際の接続ルートを特定することができる。このため、各拠点を頻繁に移動する第２の電話端末において、緊急通報先が如何なる通信ネットワーク上に存在する場合であっても、最適な緊急通報先への発信を行うことができる。
【発明の効果】
【００１５】
以上詳述したようにこの発明によれば、パケット網に接続される電話端末から適切な施設に対し、電話端末の処理負荷を抑えた上で緊急通報の発信を効率良く行い得る通信システムの主装置及び緊急通報発信方法を提供することができる。
【発明を実施するための最良の形態】
【００１６】
以下、この発明の実施形態について図面を参照して詳細に説明する。  
（第１の実施形態）  
図１は、この発明の第１の実施形態に係わるＩＰ電話システムを示す概略構成図である。  
このシステムは、パケット通信用のＩＰネットワークＩＰＮを有する。ＩＰネットワークＩＰＮは、Ａ地区、Ｂ地区、Ｃ地区まで敷設され、Ａ地区でＩＰ電話端末Ｔ１１，Ｔ１２、Ｔ１３がルータＲＴＡ及びＬＡＮ１を介して接続され、Ｂ地区でＩＰ電話端末Ｔ２１，Ｔ２２がルータＲＴＢ及びＬＡＮ２を介して接続され、Ｃ地区でＩＰ電話端末Ｔ３１，Ｔ３２，Ｔ３３がルータＲＴＣ及びＬＡＮ３を介して接続される。なお、ＩＰ電話端末Ｔ１１，Ｔ１２、Ｔ１３，Ｔ２１，Ｔ２２，Ｔ３１，Ｔ３２，Ｔ３３は、通話処理機能とメディア情報処理機能とを備えている。
【００１７】
また、これらＩＰ電話端末Ｔ１１，Ｔ１２、Ｔ１３，Ｔ２１，Ｔ２２，Ｔ３１，Ｔ３２，Ｔ３３は、ＩＰネットワークＩＰＮを経由して、主装置ＢＴＡに接続されている。なお、主装置ＢＴＡはＢ地区に設置されているものとする。
【００１８】
図２は、主装置ＢＴＡの機能構成を示すブロック図である。  
すなわち、主装置ＢＴＡは、ＬＡＮインタフェース（Ｉ／Ｆ）部１１と、ＩＰ電話制御部１２と、記憶部１３とを備えている。このうち、ＬＡＮインタフェース部１１は、ＬＡＮ２との間でインタフェース処理を行うものである。
【００１９】
記憶部１３は、上記ＩＰ電話制御部１２の接続制御に必要なルーティング情報等を格納している。さらに、記憶部１３には、位置情報データベース１３１と、端末情報データベース１３２とが設けられる。
【００２０】
位置情報データベース１３１には、図３に示すように、位置情報インデックスと、Ａ地区、Ｂ地区、Ｃ地区を示す位置情報と、緊急通報先としてのＩＰ電話端末Ｔ１３，Ｔ２２，Ｔ３３の電話番号を示す緊急呼グループとの対応関係を表すデータが記憶されている。
【００２１】
端末情報データベース１３２には、図４に示すように、ＩＰ電話端末Ｔ１１，Ｔ１２、Ｔ２１，Ｔ３１，Ｔ３２それぞれの端末ＩＤとしての内線番号と、Ａ地区、Ｂ地区、Ｃ地区を示す位置インデックスとの対応関係を表すデータが記憶されている。
【００２２】
一方、ＩＰ電話制御部１２は、各ＩＰ電話端末Ｔ１１，Ｔ１２、Ｔ１３，Ｔ２１，Ｔ２２，Ｔ３１，Ｔ３２，Ｔ３３の交換接続機能に加えて、この発明に係わる新たな機能として、位置情報取得要求送信部１２１と、位置情報更新部１２２と、発信制御部１２３とを備えている。
【００２３】
位置情報取得要求送信部１２１は、ＩＰ電話端末Ｔ１１，Ｔ１２、Ｔ２１，Ｔ３１，Ｔ３２の起動時に送られてくるネットワーク接続通知に応じて、位置情報データベース１３１から全データを読み出し、全データを含む位置情報の取得要求を通知元のＩＰ電話端末Ｔ１１，Ｔ１２、Ｔ２１，Ｔ３１，Ｔ３２へＩＰネットワークＩＰＮを介して送信する。
【００２４】
位置情報更新部１２２は、上記取得要求に応じてＩＰ電話端末Ｔ１１，Ｔ１２、Ｔ２１，Ｔ３１，Ｔ３２が送信する位置情報を受信し、端末情報データベース１３２中の該当する位置インデックスを更新する。
【００２５】
発信制御部１２３は、ＩＰ電話端末Ｔ１１，Ｔ１２、Ｔ２１，Ｔ３１，Ｔ３２からＩＰネットワークＩＰＮを介して緊急発信要求が送られてきた場合に、位置情報データベース１３１及び端末情報データベース１３２を参照し、この参照結果に基づいて緊急通報先のＩＰ電話端末Ｔ１３，Ｔ２２，Ｔ３３への発信処理を実行する。なお、緊急発信要求には、ＩＰ電話端末Ｔ１１，Ｔ１２、Ｔ２１，Ｔ３１，Ｔ３２の内線番号及び緊急発信であることを特定するダイヤルキー番号が含まれる。
【００２６】
次に、上記構成におけるＩＰ電話システムの動作を説明する。  
図５は、ＩＰネットワークＩＰＮに接続され起動したＩＰ電話端末Ｔ１１に対し全緊急通報先の位置情報を送信する際の主装置ＢＴＡとＩＰ電話端末Ｔ１１との間の情報の送受信動作を示すシーケンス図である。
【００２７】
主装置ＢＴＡに収容されたＩＰ電話端末Ｔ１１がＩＰネットワークＩＰＮに接続され起動した際に、ＩＰ電話端末Ｔ１１は主装置通信部２１により主装置ＢＴＡに対してネットワーク接続通知を送信する。
【００２８】
主装置ＢＴＡにおいて、ＩＰ電話制御部１２がＩＰ電話端末Ｔ１１からのネットワーク接続通知受信を契機に、ＩＰ電話端末Ｔ１１が設置可能な全拠点の位置情報が登録された位置情報データベース１３１からデータを取得し、ＩＰ電話端末Ｔ１１に対して通知する。
【００２９】
ＩＰ電話端末Ｔ１１において、主装置通信部２１が主装置ＢＴＡから通知された全拠点の位置情報を受信し、表示制御部２２に対して取得情報の表示指示を行う。
【００３０】
図６は、位置情報を更新する際のＩＰ電話端末Ｔ１１と主装置ＢＴＡとの間の情報の送受信動作を示すシーケンス図である。
【００３１】
ＩＰ電話端末Ｔ１１は、主装置ＢＴＡから各拠点の位置情報を取得後、スクロールキーの押下に従い、キー入力部２３で位置インデックスを更新して、表示器（図示せず）に表示中の位置情報をスクロール表示させるため、次の位置インデックスの位置情報スクロール表示指示を表示制御部２２に送信する。
【００３２】
表示制御部２２において、位置情報スクロール表示指示を受信することにより、表示中の位置情報をクリアし、新たに通知された次の位置インデックスの位置情報を表示器に表示する。
【００３３】
この状態でユーザが、位置情報を登録するべく登録キーを押下したとする。そうすると、ＩＰ電話端末Ｔ１１は、キー入力部２３において位置情報登録完了を表示制御部２２に送信し、表示器に登録完了表示を行う。更に、主装置通信部２１に対しても位置情報登録指示を送信し、主装置通信部２１より登録位置インデックス番号を付与した位置情報登録要求を主装置ＢＴＡに対して送信する。
【００３４】
主装置ＢＴＡは、ＩＰ電話端末Ｔ１１から位置情報登録要求を受信し、登録位置インデックス番号を元に緊急呼グループ番号を取得し端末情報データベース１３２の登録情報を更新する。
【００３５】
図７は、緊急通報の発信制御を行う際の主装置ＢＴＡの制御手順を示すフローチャートである。
【００３６】
Ａ地区のＩＰ電話端末Ｔ１１においてユーザが、緊急通報を行なうためのダイヤル操作を行なったとする。そうすると電話端末Ｔ１１からその発信要求がＬＡＮ１、ルータＲＴＡ、ＩＰネットワークＩＰＮ、ルータＲＴＢ及びＬＡＮ２を介して主装置ＢＴＡに送られる。
【００３７】
この発信要求を受信すると主装置ＢＴＡは、発信要求に含まれる着信先のダイヤル番号を分析し、この分析結果から緊急通報であるか否かの判断を行う（ステップＳＴ７ａ）。ここでは緊急通報の発信要求であるので、主装置ＢＴＡは発信要求に含まれるＩＰ電話端末Ｔ１１の内線番号に対応する位置情報インデックス「１」を端末情報データベース１３２から読み出し、さらに位置情報データベース１３１から各緊急通報先のＩＰ電話端末Ｔ１３，Ｔ２２，Ｔ３３それぞれの位置情報インデックスを取得する（ステップＳＴ７ｂ）。
【００３８】
位置情報データベース１３１から各緊急通報先のＩＰ電話端末Ｔ１３，Ｔ２２，Ｔ３３それぞれの位置情報インデックスを取得できた場合に、主装置ＢＴＡはステップＳＴ７ｂからステップＳＴ７ｃに移行してここで位置情報インデックスを比較することによって最適な緊急通報先を選択する。ここではＩＰ電話端末Ｔ１１はＡ地区に属しており、同じＡ地区に属している緊急施設のＩＰ電話端末Ｔ１３が選択されるので、主装置ＢＴＡはＩＰネットワークＩＰＮに対してＩＰ電話端末Ｔ１３の緊急呼グループ番号を含む発信要求を送信してＩＰ電話端末Ｔ１３への発信を行わせる。
【００３９】
かくして、最終的に適切な施設のＩＰ電話端末Ｔ１３とＩＰ電話端末Ｔ１１との間に通信リンクが形成されて、通話を行うことが可能となる。
【００４０】
なお、上記ステップＳＴ７ａにおいて、発信要求が緊急通報でない場合、主装置ＢＴＡはステップＳＴ７ａからステップＳＴ７ｅに移行してここで通常の発信処理を行う。
【００４１】
以上のように上記第１の実施形態では、主装置ＢＴＡにおいて、緊急通報先となるＩＰ電話端末Ｔ１３，Ｔ２２，Ｔ３３の緊急呼グループ番号と、ＩＰ電話端末Ｔ１３，Ｔ２２，Ｔ３３の位置情報とを対応付けた位置情報データベース１３１、及びＩＰ電話端末Ｔ１１，Ｔ１２、Ｔ２１，Ｔ３１，Ｔ３２の内線番号と、それぞれの位置情報インデックスとを対応付けた端末情報データベース１３２を設け、例えばＩＰ電話端末Ｔ１１から緊急通報の発信要求が発生した場合に、その発信要求に含まれる発信元となるＩＰ電話端末Ｔ１１の内線番号に基づいて端末情報データベース１３２から発信元の位置情報インデックスを読み出し、この位置情報インデックスと位置情報データベース１３１中の位置情報インデックスとを比較し、この比較結果からＡ地区に属するＩＰ電話端末Ｔ１３を選択して、このＩＰ電話端末Ｔ１３に対し緊急通報の発信を実行するようにしている。
【００４２】
従って、位置情報データベース１３１及び端末情報データベース１３２に蓄積管理された情報を用いることで、簡単な手順でＩＰネットワークＩＰＮ上のＩＰ電話端末Ｔ１１から適切な施設への緊急通報の発信を効率良く行なうことができる。
【００４３】
また、上記第１の実施形態では、例えばＩＰ電話端末Ｔ１１がＩＰネットワークＩＰＮに接続されて起動した場合に、主装置ＢＴＡからＩＰ電話端末Ｔ１１へ位置情報データベース１３１の全データを含む位置情報の取得要求を送信してＩＰ電話端末Ｔ１１の表示器に表示し、ＩＰ電話端末Ｔ１１のユーザがこの表示された全緊急通報先の位置情報をもとに、ＩＰ電話端末Ｔ１１の位置登録の指定入力操作を行なった際に、ＩＰ電話端末Ｔ１１の位置情報インデックスを主装置ＢＴＡに送信し、端末情報データベース１３２中の該当するＩＰ電話端末Ｔ１１の位置情報インデックスを更新するようにしている。
【００４４】
従って、ＩＰ電話端末がＩＰネットワークＩＰＮに接続されるごとに、主装置ＢＴＡにてその接続位置情報を取得して端末情報データベース１３２を自動的に更新することができる。また、ＩＰ電話端末Ｔ１１のユーザは情報誌等を別途用意する必要がなく、しかも全緊急通報先の位置情報が表示されている状態で指定入力を行うことにより簡単かつ正確にＩＰ電話端末Ｔ１１の位置情報を主装置ＢＴＡに登録することができる。
【００４５】
（第２の実施形態）  
図８は、この発明の第２の実施形態に係わるＩＰ電話システムを示す概略構成図である。なお、図８において、上記図１と同一部分には同一符号を付して詳細な説明を省略する。
【００４６】
このシステムは、緊急施設に配置されるＩＰ電話端末Ｔ１３，Ｔ２２，Ｔ３３に対し主装置ＢＴＢから公衆網（ＰＳＴＮ）ＮＷ１、公衆網（ＰＳＡＰ）ＮＷ２及びＩＳＤＮ網ＮＷ３を介して接続している。
【００４７】
図９は、主装置ＢＴＢの機能構成を示すブロック図である。なお、図９において、上記図２と同一部分には同一符号を付して詳細な説明を省略する。  
すなわち、主装置ＢＴＢは、ネットワークインタフェース部１４を備えている。ネットワークインタフェース部１４は、公衆網ＮＷ１，ＮＷ２及びＩＳＤＮ網ＮＷ３との間でインタフェース処理を行うものである。
【００４８】
また、記憶部１３には、緊急発信ルートデータベース１３３が設けられている。この緊急発信ルートデータベース１３３には、図１０に示すように、緊急通報先のＩＰ電話端末Ｔ１３，Ｔ２２，Ｔ３３の緊急呼グループ番号と、公衆網ＮＷ１，ＮＷ２及びＩＳＤＮ網ＮＷ３を示す発信ルートとの対応関係を表すデータが記憶されている。
【００４９】
これに対しＩＰ電話制御部１２の発信制御部１２３は、ＩＰ電話端末Ｔ１１，Ｔ１２、Ｔ２１，Ｔ３１，Ｔ３２からＩＰネットワークＩＰＮを介して緊急発信要求が送られてきた場合に、位置情報データベース１３１、端末情報データベース１３２及び緊急発信ルートデータベース１３３を参照し、この参照結果に基づいて最適な発信ルートを用いて緊急通報先のＩＰ電話端末Ｔ１３，Ｔ２２，Ｔ３３への発信処理を実行する。
【００５０】
次に、上記構成におけるＩＰ電話システムの動作を説明する。  
図１１は、緊急通報の発信制御を行う際の主装置ＢＴＢとＩＰ電話端末Ｔ１１との間の情報の送受信動作を示すシーケンス図である。
【００５１】
ＩＰ電話端末Ｔ１１においてダイヤル入力をダイヤル分析部２４で番号分析を行い、分析結果が緊急ダイヤルとなった場合、主装置通信部２１に対して緊急ダイヤル入力を通知し、主装置通信部２１より緊急発信要求を主装置ＢＴＢに対して送信する。
【００５２】
主装置ＢＴＢにおいて、ＩＰ電話制御部１２が緊急発信要求を受信すると、端末情報データベース１３２から位置情報登録時に更新された位置情報インデックスを取得し、更に位置情報データベース１３１から緊急呼グループ番号を取得する。
【００５３】
主装置ＢＴＢにおいて、ＩＰ電話制御部１２が取得した緊急呼グループ番号に従い、緊急発信ルートデータベース１３３から発信ルートを検索し、検索結果に従い公衆網ＮＷ１を捕捉して緊急ダイヤルを送出する。
【００５４】
かくして、最終的に適切な施設のＩＰ電話端末Ｔ１３とＩＰ電話端末Ｔ１１との間に通信リンクが形成されて、通話を行うことが可能となる。
【００５５】
以上のように上記第２の実施形態では、主装置ＢＴＢにおいて、緊急呼グループ番号と公衆網ＮＷ１，ＮＷ２及びＩＳＤＮ網ＮＷ３を示す発信ルートとを対応付けた緊急発信ルートデータベース１３３を設け、各ＩＰ電話端末Ｔ１１，Ｔ１２、Ｔ２１，Ｔ３１，Ｔ３２ごとに緊急通報先へ発信する際の接続ルートを特定してこの接続ルートにより緊急通報先へ緊急通報の発信を実行するようにしている。
【００５６】
従って、各拠点を頻繁に移動するＩＰ電話端末Ｔ１１において、緊急通報先が如何なる公衆網ＮＷ１，ＮＷ２及びＩＳＤＮ網ＮＷ３上に存在する場合であっても、最適な緊急通報先への発信を行うことができる。
【００５７】
（その他の実施形態）  
なお、この発明は上記各実施形態に限定されるものではない。例えば、上記各実施形態では、電話端末にＩＰ電話端末を使用する例について説明したが、それ以外にも無線ＬＡＮを利用した端末や、パーソナル・コンピュータ上のソフトウェアで実現しているソフトフォンでもよい。
【００５８】
その他、システムの構成及び種類、主装置の構成及び種類、電話端末の種類、各種テーブルの記憶内容、緊急通報先の選択制御方法等についても、この発明の要旨を逸脱しない範囲で種々変形して実施できる。
【図面の簡単な説明】
【００５９】
【図１】この発明の第１の実施形態に係わるＩＰ電話システムを示す概略構成図。
【図２】上記図１に示した主装置の機能構成を示すブロック図。
【図３】上記図２に示した位置情報データベースの記憶内容の一例を示す図。
【図４】上記図２に示した端末情報データベースの記憶内容の一例を示す図。
【図５】同第１の実施形態において、ＩＰネットワークに接続され起動したＩＰ電話端末に対し全緊急通報先の位置情報を送信する際の主装置とＩＰ電話端末との間の情報の送受信動作を示すシーケンス図。
【図６】同第１の実施形態において、位置情報を更新する際のＩＰ電話端末と主装置との間の情報の送受信動作を示すシーケンス図。
【図７】同第１の実施形態において、緊急通報の発信制御を行う際の主装置の制御手順を示すフローチャート。
【図８】この発明の第２の実施形態に係わるＩＰ電話システムを示す概略構成図。
【図９】上記図８に示した主装置の機能構成を示すブロック図。
【図１０】上記図９に示した緊急発信ルートデータベースの記憶内容の一例を示す図。
【図１１】同第２の実施形態において、緊急通報の発信制御を行う際の主装置とＩＰ電話端末との間の情報の送受信動作を示すシーケンス図。
【符号の説明】
【００６０】
１，２，３…ＬＡＮ（Local Area Network）、１１…ＬＡＮインタフェース（Ｉ／Ｆ）部、１２…ＩＰ電話制御部、１３…記憶部、１４…ネットワークインタフェース（Ｉ／Ｆ）部、１２１…位置情報取得要求送信部、１２２…位置情報更新部、１２３…発信制御部、１３１…位置情報データベース、１３２…端末情報データベース、１３３…緊急発信ルートデータベース、Ｔ１１，Ｔ１２，Ｔ１３，Ｔ２１，Ｔ２２，Ｔ３１，Ｔ３２，Ｔ３３…ＩＰ電話端末、ＩＰＮ…ＩＰネットワーク、ＢＴＡ，ＢＴＢ…主装置、ＲＴＡ，ＲＴＢ，ＲＴＣ…ルータ。
【図１】
2007274200.tif 000003
【図２】
2007274200.tif 000004
【図３】
2007274200.tif 000005
【図４】
2007274200.tif 000006
【図５】
2007274200.tif 000007
【図６】
2007274200.tif 000008
【図７】
2007274200.tif 000009
【図８】
2007274200.tif 000010
【図９】
2007274200.tif 000011
【図１０】
2007274200.tif 000012
【図１１】
2007274200.tif 000013